【手続補正書】
【提出日】平成19年3月9日(2007.3.9)
【手続補正１】
【補正対象書類名】明細書
【補正対象項目名】特許請求の範囲
【補正方法】変更
【補正の内容】
【特許請求の範囲】
【請求項１】  複数の個別の熱的処理区間を持つ第１の熱的処理区間と、
前記各個別の熱的処理区間に協働する少なくとも１個の供給口を持つ第１の空気供給ダクトであって、前記供給口を通って温度制御された空気が前記各個別の熱的処理区間内に流通するようにして成る第１の空気供給ダクトと、
前記各個別の熱的処理区間内用の少なくとも１個の空気戻し口であって、前記空気戻し口を通って温度制御された空気が前記個別の熱的処理区間から流出するようにして成る少なくとも１個の空気戻し口と、
取出すことのできるトレーを備え前記各個別の熱的処理区間の間に設けた障壁と、
を包含する熱的処理システム。
【請求項２】  前記トレーに、食品又は容器を載置でき前記の温度制御された空気が間を通ることのできる複数の突起を設けた請求項１の熱的処理システム。
【請求項３】  さらに前記空気を加熱する熱源を備えた請求項１の熱的処理システム。
【請求項４】  複数の個別の熱的処理区間を持つ第１の熱的処理区間と、
前記各個別の熱的処理区間に協働する少なくとも１個の供給口を持つ第１の空気供給ダクトであって、前記供給口を通って、温度制御された空気が前記各個別の熱的処理区間内に流通するようにして成る、第１の空気供給ダクトと、
前記各個別の熱的処理区間用の少なくとも１個の空気戻し口であって、前記空気戻し口を通って温度制御された空気が前記個別の熱的処理区間から流出するようにして成る少なくとも１個の空気戻し口と、
前記空気を冷却する冷凍源と、
を包含する熱的処理システム。
【請求項５】  複数の個別の熱的処理区間を持つ第１の熱的処理区間と、
前記各個別の熱的処理区間に協働する少なくとも１個の供給口を持つ第１の空気供給ダクトであって、前記供給口を通って温度制御された空気が前記各個別の熱的処理区間内に流通するようにして成る第１の空気供給ダクトと、
前記各個別の熱的処理区間内用の少なくとも１個の空気戻し口であって、前記空気戻し口を通って温度制御された空気が前記個別の熱的処理区間から流出するようにして成る少なくとも１個の空気戻し口と、
複数の個別の熱的処理区間を持つ第２の熱的処理区間と、
この第２の熱的処理区間の前記各個別の熱的処理区間に協働する少なくとも１個の供給口を持つ第２の空気供給ダクトであって、前記供給口を通って温度制御された空気が前記各個別の熱的処理区間内に流通するようにして成る、第２の空気供給ダクトと、
前記第２の熱的処理区間の前記各個別の熱的処理区間用の少なくとも１個の空気戻し口であって、前記空気戻し口を通って温度制御された空気が、前記個別の熱的処理区間から流出するようにして成る少なくとも１個の空気戻し口と、
を包含する熱的処理システム。
【請求項６】  複数の個別の熱的処理区間を持つ第１の熱的処理区間と、
前記各個別の熱的処理区間に協働する少なくとも１個の供給口を持つ第１の空気供給ダクトであって、前記供給口を通って温度制御された空気が前記各個別の熱的処理区間内に流通するようにして成る第１の空気供給ダクトと、
前記各個別の熱的処理区間内用の少なくとも１個の空気戻し口であって、前記空気戻し口を通って温度制御された空気が前記個別の熱的処理区間から流出するようにして成る少なくとも１個の空気戻し口と、
温度制御された空気を前記第１の熱的処理区間内に循環させる送風機と、
を備え、
前記第１の空気供給ダクトに、上端部と、下端部と、前記上端部及び下端部間に位置し前記送風機に連通する入口穴とを設け、前記第１空気供給ダクトに、複数個の空気供給口を設け、前記空気供給口を通って空気が前記第１の空気供給ダクトを出て前記第１の熱的処理区間内に流入し、前記第１の空気供給ダクトにさらに（ａ）前記入口穴に隣接する第１テーパ付き上部部分と、前記上端部に隣接する第２テーパ付き上部部分とを設け、前記第１テーパ付き部分が、前記第２テーパ付き部分より大きいテーパ角を持ち、前記第１の空気供給ダクトにさらに（ｂ）前記入口穴に隣接する第１テーパ付き下部部分と、前記下端部に隣接する第２テーパ付きか部分とを設け、前記第１テーパ付き下部部分が前記第２テーパ付き下部部分より大きいテーパ角を持つようにして成る熱的処理システム。
【請求項７】  さらに、前記第１の空気供給ダクトの前記入口穴に隣接して前記第１の空気供給ダクトに前記空気を差向けるダイバータを備えた請求項６の熱的処理システム。
【請求項８】  前記ダイバータを調節して前記第１の空気供給ダクトの前記の上端部及び下端部に供給される空気の量を制御できるようにした請求項７の熱的処理システム。
【請求項９】  複数の個別の熱的処理区間を持つ第１の熱的処理区間と、
前記各個別の熱的処理区間に協働する少なくとも１個の供給口を持つ第１の空気供給ダクトであって、前記供給口を通って温度制御された空気が前記各個別の熱的処理区間内に流通するようにして成る第１の空気供給ダクトと、
前記各個別の熱的処理区間内用の少なくとも１個の空気戻し口であって、前記空気戻し口を通って温度制御された空気が前記個別の熱的処理区間から流出するようにして成る少なくとも１個の空気戻し口と、
前記第１の熱的処理区間内に温度制御された空気を循環させる送風機と、
を備え、
前記第１の空気供給ダクトに上端部と、下端部と、この下端部に隣接する入口穴とを設け、前記第１の空気供給ダクトに、前記下端部に隣接する第１テーパ付き部分と、前記上端部に隣接する第２テーパ付き部分とを設け、前記第１テーパ付き部分が、前記第２テーパ付き部分より大きいテーパ角を備えて成る熱的処理システム。
【請求項１０】  送風機と、
少なくとも１個の熱的処理室と、
上端部と、下端部と、前記上端部及び下端部間に位置し前記送風機に連通する入口穴とを持つダクトと、
を包含し、
前記ダクトに、複数個の空気供給口を設け、前記空気供給口を通って空気が前記ダクトから前記熱的処理室内に流出し、前記ダクトにさらに（ａ）前記入口穴に隣接する第１テーパ付き上部部分と、前記上端部に隣接する第２テーパ付き上部部分とを設け、前記第１テーパ付き上部部分が、前記第２テーパ付き上部部分より大きいテーパ角を持つようにし、前記ダクトにさらに、（ｂ）前記入口穴に隣接する第１テーパ付き下部部分と、前記下端部に隣接する第２テーパ付き下部部分とを設け、前記第１テーパ付き下部部分が、前記第２テーパ付き下部部分より大きいテーパ角を持つようにして成る空気送出しシステム。
【請求項１１】  前記第１テーパ付き上部部分が前記ダクトの前記入口穴及び上端部間の距離の約１／４ないし１／２だけ延びるようにした請求項１０の空気送出しシステム。
【請求項１２】  前記第１テーパ付き上部部分が、前記ダクトの前記上端部に向かい長さ１ないし３インチ当たり約１インチのテーパを持つようにした請求項１０の空気送出しシステム。
【請求項１３】  前記第２テーパ付き上部部分が、前記ダクトの上端部に向かい長さ７ないし１６インチ当たり約１インチのテーパを持つようにした請求項１０の空気送出しシステム。
【請求項１４】  前記第１テーパ付き下部部分が、前記ダクトの前記入口穴及び下端部間の距離の約１／４ないし１／２だけ延びるようにした請求項１０の空気送出しシステム。
【請求項１５】  前記第１テーパ付き下部部分が、前記ダクトの前記下端部に向かい長さ１ないし３インチ当たり約１インチのテーパを持つようにした請求項１０の空気送出しシステム。
【請求項１６】  前記第２テーパ付き下部部分が、前記ダクトの前記下端部に向かい長さ７いし１６インチ当たり約１インチのテーパを持つようにした請求項１０の空気送出しシステム。
【請求項１７】  さらに、前記第１の空気供給ダクトの前記入口穴に隣接し、前記第１空気供給ダクトに前記空気を差向けるようにしたダイバータを備えた請求項１０の熱的処理システム。
【請求項１８】  前記ダイバータを調節して前記第１の空気供給ダクトの前記上端部及び下端部に供給する空気の量を制御できるようにした請求項１７の熱的処理システム。